(57)【特許請求の範囲】
【請求項１】
燃料油を貯める貯油タンクを有する移動可能に設けられた本体ケースと、この本体ケース内に収納され該本体ケースの側面側に取外し可能に設けられたハンドルにより駆動され前記貯油タンク内の燃料油を吸入して供給する手動式ポンプと、この手動式ポンプの吐出口側が配管で前記本体ケースの側面側に導出されその部分に一端部が接続され先端部に給油ノズルを有する給油ホースとを備え、前記給油ノズルは、その吐出管の先端側に燃料油の液面を検出することにより給油停止するための開口が設けられ、この開口の後部側の外周に給油口に差し込んだとき、該給油ノズルを給油口に保持する弾性材からなるストッパが設けられている手動給油装置であって、該手動給油装置は、正面側がシャッターにより開閉できる構造の矩形箱型の収納ケースに出し入れできるよう収納され、該収納ケースの前記ハンドルに対応する部分には、該ハンドルを側面側から取り付けられる孔が形成されていることを特徴とする手動給油装置。
【発明の詳細な説明】
【０００１】
【産業上の利用分野】
本発明は、オートバイ等に手動操作でガソリン等の燃料油を供給する自動給油装置に関するものである。
【０００２】
【従来の技術】
従来、自動車のガソリン等の燃料油は、給油所に設置されている給油装置で供給される。また、オートバイ等の小容量の燃料油を必要とする車両も給油所の給油装置で供給されるのが一般的である。このような給油装置は、電気を動力源とし防爆構造等により十分な安全対策が施されている。
【０００３】
【発明が解決しようとする課題】
従来の給油所の給油装置は、ガソリン等の燃料油を必要とする車両に簡単に給油することができるが、例えば、新聞あるいはピザ等の配達店において多数のオートバイを所持して集中的に管理している場合に、小容量の燃料油の供給を給油所の給油装置で行なっていては、配達業務に支障をきたすおそれがあった。また、このようなオートバイへの燃料油の供給を電動ポンプ等で行なった場合には、電動ポンプの故障のために火災等の安全性の問題が生じることがあった。
【０００４】
本発明は上記事情に鑑みなされたもので、オートバイ等の小型車両への燃料油の供給を電気部品及び防爆構造を必要とせずに簡単で安価にでき、かつ安全にできる手動給油装置を提供することを目的とする。
【０００５】
【課題を解決するための手段】
上記目的を達成するために請求項１に記載の発明にあっては、燃料油を貯める貯油タンクを有する移動可能に設けられた本体ケースと、この本体ケース内に収納され該本体ケースの側面側に取外し可能に設けられたハンドルにより駆動され前記貯油タンク内の燃料油を吸入して供給する手動式ポンプと、この手動式ポンプの吐出口側が配管で前記本体ケースの側面側に導出されその部分に一端部が接続され先端部に給油ノズルを有する給油ホースとを備え、前記給油ノズルは、その吐出管の先端側に燃料油の液面を検出することにより給油停止するための開口が設けられ、この開口の後部側の外周に給油口に差し込んだとき、該給油ノズルを給油口に保持する弾性材からなるストッパが設けられている手動給油装置であって、該手動給油装置は、正面側がシャッターにより開閉できる構造の矩形箱型の収納ケースに出し入れできるよう収納され、該収納ケースの前記ハンドルに対応する部分には、該ハンドルを側面側から取り付けられる孔が形成されていることを特徴とするものである。オートバイ等の小型車両への燃料油の供給を電気部品及び防爆構造を必要とせずに簡単で安価にでき、かつ安全にできる。また、給油操作が簡単になり、液面を検出して給油を停止し給油口から燃料油が溢れ出ることがなくなる。さらに、収納ケースに自動給油装置を収納することで、夜間等の使用しないときの盗難を防止することができ、給油ホースの損傷を防ぐことができる。
【０００７】
【発明の実施の形態】
以下、本発明を図示の一実施例により具体的に説明する。図１〜図４は本発明第１実施形態の手動給油装置を説明する図であり、図1は自動給油装置の斜視図、図2は自動給油装置の構成を説明する図、図３は給油ノズルの先端部分を説明する断面図、図４は自動給油装置でオートバイに給油している状態を説明する斜視図である。
【０００８】
これらの図において、本実施形態の手動給油装置１０は、燃料油のタンクと機器を収納するハウジングを兼用した移動可能な本体ケース１１と、この本体ケース１１に収納された手動式ポンプ１２と、この手動式ポンプ１２で供給された燃料油を吐出する給油ノズル１４と、本体ケース１１に設けられた油面計１５等を備えており、手動式ポンプ１２を操作することで、燃料油を給油ノズル１４から吐出させて、オートバイ１等へ供給するものである。
【０００９】
本体ケース１１は、全体的に矩形箱型に形成され、下部側に、例えば、１００リットル程度のガソリン等の燃料油を貯めるための貯油タンク１６及びその上部側の板１７ａで区画された空間１７とを有する下部ケース１１ａと、この下部ケース１１ａの一方側（左側）の上部に配置され正面側に傾斜面を有する箱型の上部ケース１１ｂとから構成されている。この本体ケース１１は、下部ケース１１ａの下部角部にキャスター１９が取付けられ、自由に移動することができるようになっている。また、本体ケース１１は、下部ケース１１ａの正面側の上部に扉２１で覆われ、空間１７に連通する開口が設けられ、かつ扉２１近傍の貯油タンク１６と空間１７との間を区画する板１７ａにキャップ等を設けた給油口２０が設けられており、扉２１を明け給油口２０のキャップを外して貯油タンク１６へ燃料油を供給できるようになっている。さらに、下部ケース１１ａ左側上部の上部ケース１１ｂに隣接した部分には、正面側から給油ノズル１４を掛けるためのノズル掛け２２が設けられている。
【００１０】
手動式ポンプ１２は、例えば、上部ケース１１ｂに配置されており、その吸入管２４が下部の貯油タンク１６の底部まで延出され、駆動用のハンドル２３が上部ケース１１ｂの側面側（左側）に取付けられている。このハンドル２３は、例えば、右回転方向に操作することで手動式ポンプ１２を駆動することができるが、その反対方向に回転させたときに手動式ポンプ１２から外れるようにネジで取付けられている。また、この手動式ポンプ１２の吐出口側は、配管２５に接続されて上部ケース１１ｂから空間１７を通って下部ケース１１ａの正面側上部に設けられたエルボ２６に連通されている。このエルボ２６には、先端に給油ノズル１４を有する給油ホース１３の一端部が接続されている。油面計１５は、貯油タンク１６内の燃料油の液面を機械的に検出して表示する機構を有し、その表示部分が上部ケース１１ｂの傾斜面に取付けられている。
【００１１】
給油ノズル１４は、給油レバー１４ａを保持するためのラッチ機構を備え、かつ吐出管１４ｂの先端側には燃料油の液面を検出して給油を停止するための開口１４ｃが設けられ、かつ吐出管１４ｂの開口１４ｃの手前の外周には給油中に給油ノズル１４を保持するための耐油性のゴム等の弾性材からなるストッパ３０が取付けられている。なお、給油ノズル１４の開口１４ｃで燃料油の液面を検知して給油を停止する機構は、例えば、本出願人の実公昭５２−１１２１６号公報の誤動作防止自動閉鎖ノズルバルブ等に開示している。
【００１２】
上記構成の手動給油装置１０は、オートバイ１等の車両に燃料油を供給する場合には、図４に示すように、手動給油装置１０の正面側にオートバイ１を停車させ、座席３を上げて給油口２を開ける。次に、給油を行なう操作者が、手動給油装置１０とオートバイ１との間に立ち、左手で給油ノズル１４をノズル掛け２２から外し、吐出管１４ｂの先端を給油口２に差し込み、右手でハンドル２３を回し、給油レバー１４ａを引く。これにより、手動式ポンプ１２がハンドル２３で駆動され、貯油タンク１６内の燃料油が吸入管２４を通して吸引され、配管、給油ホース１３を通って給油ノズル１４の吐出管１４ｂからオートバイ１のタンク内に吐出される。給油ノズル１４は、吐出管１４ｂの先端の外周部に弾性材からなるストッパ３０が設けられているため、給油口２に吐出管１４ｂが保持され、かつ給油レバー１４ａを保持するためのラッチ機構を備えているため、操作者が給油ノズル１４を継続して保持しなくてもよく、右手でハンドル２３を回しつづけることで給油することができる。燃料油が吐出管１４bの開口１４cまで給油されたときには、その液面が検出されて給油が停止することで燃料油が給油口２から溢れるおそれがなくなる。したがって、この手動給油装置１０では、オートバイ１へ燃料油の供給が手動操作で簡単にでき、また、全ての構成部品に電気を使用していないため、防爆構造の必要性がなく安価で火災等の安全上の問題もなくなり、新聞やピザの配達店において多数のオートバイを集中管理している場合等でも、業務に支障なく給油することが可能になる。
【００１３】
図５は本発明第２実施形態の収納ケースに手動給油装置を収納した状態を説明する正面図である。なお、第１実施形態に対応する部分及び部材は同一の符号を記し詳細の説明を省略する。
【００１４】
この第２実施形態では、第１実施形態と同様に構成された手動給油装置１０が収納ケース４０に収納されたものである。この収納ケース４０は、手動給油装置１０を収納するに十分な大きさの矩形箱型に形成されており、正面側はシャッター４１により上下に開閉できる構造になっており、正面側から手動給油装置１０を出し入れでき、かつハンドル２３に対応する部分には、孔４２が形成され、側面側からハンドル２３が取付けられるようになっている。
【００１５】
上記構成では、手動給油装置１０が収納ケース４０に収納されるため、夜間等の使用しないときの盗難を防止することができ、また給油ホース１３の損傷を防ぐことができる。さらに、収納ケース４０に手動給油装置１０を収納した状態であっても、ハンドル２３を孔４２から取付けることができ、収納ケース４０から手動給油装置１０を出さなくても使用することができる。
【００１６】
なお、上記実施形態において、本体ケース１１を下部ケース１１ａと上部ケース１１ｂとで構成し、手動式ポンプ１２を上部ケース１１ｂに収納した例を説明したが、本体ケース１１は少なくとも燃料油を貯める貯油タンク１６が設けられるとともに、手動式ポンプ１２を収納する構造に形成されていればよく、その大きさや形状についても実施形態に限定されない。また、給油ホース１３は、操作性から正面側に取付けられることが好ましく、ノズル掛け２２も本体ケース１１のいずれかに設けられていればよい。
【００１７】
【発明の効果】
以上説明したように、本発明によれば、燃料油を貯める貯油タンクを有する移動可能に設けられた本体ケースと、この本体ケース内に収納され該本体ケースの側面側に取外し可能に設けられたハンドルにより駆動され前記貯油タンク内の燃料油を吸入して供給する手動式ポンプと、この手動式ポンプの吐出口側が配管で前記本体ケースの側面側に導出されその部分に一端部が接続され先端部に給油ノズルを有する給油ホースとを備えたことで、オートバイ等の小型車両へ燃料油の供給が手動操作で簡単にでき、また、全ての構成部品に電気を使用していないため、防爆構造の必要性がなく安価で火災等の安全上の問題もなくなり、新聞やピザの配達店において多数のオートバイを集中管理している場合等でも、業務に支障なく給油することが可能になる。
【図面の簡単な説明】
【図１】本発明第１実施形態の自動給油装置の斜視図である。
【図２】本発明第１実施形態の自動給油装置の構成を説明する図である。
【図３】本発明第１実施形態の給油ノズルの先端部分を説明する断面図である。
【図４】本発明第１実施形態の自動給油装置でオートバイに給油している状態を説明する斜視図である。
【図５】本発明第２実施形態の収納ケースに手動給油装置を収納した状態を説明する正面図である。
【符号の説明】
１  オートバイ
２  給油口
３  座席
１０  手動給油装置
１１  本体ケース
１１ａ  下部ケース
１１ｂ  上部ケース
１２  手動式ポンプ
１３  給油ホース
１４  給油ノズル
１４ａ  給油レバー
１４ｂ  吐出管
１４ｃ  開口
１５  油面計
１６  貯油タンク
１７  空間
１７ａ  板
１９  キャスター
２０  給油口
２１  扉
２２  ノズル掛け
２３  ハンドル
２４  吸入管
２５  配管
２６  エルボ
３０  ストッパ
４０  収納ケース
４１  シャッター
４２  孔
【図１】
0003788187.tif 000002
【図２】
0003788187.tif 000003
【図３】
0003788187.tif 000004
【図４】
0003788187.tif 000005
【図５】
0003788187.tif 000006